【事件の表示】
　平成　５年特許願第　６０４２４号「穀粒乾燥機の運転状態表示装置」拒絶査定に対する審判事件［平成　６年　９月３０日出願公開、特開平　６−２７３０４６］について、次のとおり審決する。
【結　論】
　本件審判の請求は、成り立たない。
【理　由】
１．手続の経緯・本願発明
　本願は、平成５年３月１９日の出願であって、その請求項１に係る発明は、平成１４年２月２２日付けの手続補正書により補正された明細書の特許請求の範囲の請求項１に記載された次のとおりのものと認める。
「運転操作する操作盤１５を設け、該操作盤１５の表面部には設定乾燥熱風温度、張込穀粒量、及び各種設定機能等を表示しうる液晶表示形態の表示手段３２を設け、該表示手段３２の近傍には多機能を設定する複数個の機能設定手段３３ａ，３３ｂ，３３ｃ，３３ｄを設けた穀粒乾燥機において、乾燥作業を開始する該機能設定手段３３ｂの操作前の穀粒の乾燥作業開始時は、該表示手段３２には少なくとも穀物種類、設定水分、及び乾燥種類の乾燥作業開始時に設定が必要な表示項目を、又機能設定手段３３ｂの操作に基づく乾燥作業開始後は、現在水分、乾燥予定残時間、水分むら等の乾燥進行状態項目をを文字表示とともに図形表示することを特徴とする運転状態表示装置。」（以下、これを「本願発明」という）
　
２．引用刊行物　
　これに対し、原査定の拒絶の理由に引用された特開平４−２６３７８２号公報（以下、これを「刊行物１」という）には、穀粒乾燥機の操作装置に関して、
「【請求項１】  表面板１部には穀粒を乾燥する張込作業、乾燥作業、及び排出作業等の各作業項目と仕上目標水分、及び張込穀粒量等の乾燥条件の各条件項目とを表示する表示装置２、及び該各作業項目と該各条件項目との両者を選定する複数個の選定装置３を設けると共に、内部には該選定装置３の操作の入力を受けて制御する乾燥制御装置４を設けたことを特徴とする穀粒乾燥機の操作装置。」（【特許請求の範囲】）、
「この乾燥中は停止水分、張込量及び乾燥中等の表示が該表示装置２へ表示される。」（段落【０００６】）こと、
「【発明の効果】  この発明により、作業項目や穀粒の停止水分及び熱風温度を設定する張込穀粒量等は、選定装置３を操作して該表示装置２へ表示させながら、この表示から選定して設定することにより、誤操作することがなくなり、又操作を簡単にすることができた。」（段落【０００８】）こと、
「【００１５】  前記操作装置６は、箱形状でこの箱体の表面板１部には、液晶などによってなる表示装置２及びこの表示装置２下側には選定装置３を設け、この選定装置３は押ボタン式の操作スイッチ３６，３７，３８を３個横方向に一列に配設した構成としている。前記操作装置６内部には、前記水分センサ１８及び熱風温センサ３９が検出する検出値をＡ?Ｄ変換するＡ?Ｄ変換器４０、このＡ?Ｄ変換器４０で変換された変換値が入力される入力回路４１、該操作スイッチ３６，３７，３８の操作が入力される入力回路４２、これら各入力回路４１，４２から入力される各種入力値を算術論理演算及び比較演算等を行なうＣＰＵ４３、このＣＰＵ４３から指令される各種指令を受けて出力する出力回路４４等よりなる乾燥制御装置４を内蔵した構成としている。
【００１６】  前記乾燥制御装置４による前記乾燥機５の始動及び停止の操作と制御とは下記の如く行なわれる構成としている。即ち、最初の表示は、図３の如く、前記表示装置２へは作業項目の選定の表示と、前記操作スイッチ３６の上側位置に張込、前記操作スイッチ３７の上側位置に乾燥及び前記操作スイッチ３８の上側位置に排出の表示とが行なわれる構成であり、開始しようとする作業項目に該当する該操作スイッチ３６，３７，３８を操作して作業項目を選定する構成としている。
【００１７】  張込作業を開始するときは、張込と表示の下側の前記操作スイッチ３６を操作することにより、前記乾燥機５は張込作業をするに必要な各部が始動すると同時に、図４の如く、前記表示装置２へは停止操作の表示と、該操作スイッチ３６の上側位置に停止の表示とが行なわれる構成であり、張込作業が終了したときには、該操作スイッチ３６を操作することにより、該乾燥機５運転各部が停止する構成としている。
【００１８】  乾燥作業を開始するときは、乾燥と表示の下側の前記操作スイッチ３７を操作すると、前記乾燥機５での乾燥作業が選定されると同時に、図５の如く、前記表示装置２へは条件項目を選定の表示と、前記操作スイッチ３６の上側位置に停止水分表示、該操作スイッチ３７の上側位置に張込量表示及び前記操作スイッチ３８の上側位置に乾燥スタート表示とが行なわれる構成であり、該操作スイッチ３６を操作することにより、該表示装置２へ停止水分が、１３％，１３．５％，１４％……と順次表示され、停止させようとする水分と同じ数値が表示されると、該操作スイッチ３６の操作を停止すると、この停止したときの表示数値が停止水分として設定される構成である。該操作スイッチ３７を該操作スイッチ３６と同じように操作することにより、該表示装置２へ張込量が、１４００，１６００，１８００，２０００……と順次表示され、張込量と同じ数値が表示されると、該操作スイッチ３７の操作を停止すると、この停止したときの表示数値が張込量として設定されてこの設定により、前記バーナ１６から発生する熱風温度が設定される構成である。該操作スイッチ３８を操作することにより、該乾燥機５は乾燥作業をするに必要な各部が始動する構成としている。」（段落【００１５】〜【００１８】）こと、
「 操作装置６′は、箱形状でこの箱体の表面板１′部には、各種表示を行なうメッセージ表示部４８、前記乾燥機５を始動操作する運転スイッチ４９及び停止操作する停止スイッチ５０を設けた構成であり、該操作装置６′下部の該表面板１′は開閉する構成であり、該表面板１′開状態にすると内側には、乾燥条件を設定する設定スイッチ５１である乾燥温度設定抓み、穀物種類設定抓み、停止水分設定抓み及び乾燥パターン設定抓み等を設けた構成としている。」（段落【００２３】）ことが図面とともに記載されている。
　
　また、刊行物１と共に同引用された特開平２−２５１０８３号公報（以下、これを「刊行物２」という）には、穀物乾燥機の表示装置に関して、
「穀物乾燥の実行形態は、穀物の種類や環境条件等が種々であるから、色々なモードが選択できるものとしており、例えば、乾燥温度及び張込量の設定により熱風温度が設定されて、乾燥終了まで定温で乾燥する「定温乾燥」、乾燥途中の乾燥速度をチェックしながら予め設定した乾燥速度となるよう熱風温度を変更しつつ乾燥を終了する「乾燥速度制御乾燥」、予約タイマで設定した時間の経過に基づいて、初期乾燥−休止−後段乾燥を行なう「普通予約乾燥」、あるいは、休止に入るタイミングを所定水分値に達したか否かで決定し、初期乾燥−休止−後段乾燥を行なう所謂「二段乾燥」等の乾燥モードがあり、これらは乾燥制御部に記憶させた内容からオペレータが任意に選択できる構成としている。」（１頁右下欄１〜１５行）こと、
「この操作盤１９の上部側には、４個の７セグメントＬＥＤと３個のＬＥＤと２個のコロンＬＥＤとからなる第１表示部３１を設け、コンピュータ１８からの表示出力に基づいて熱風温度−穀物水分−乾燥残時間を交替的に表示できる構成とする。」（２頁右下欄１４〜１８行）こと、
「次に設定内容表示モードについて説明する。前記マイクロコンピュータ１８のメモリ部には、複数の乾燥モードが記憶されている。即ち、前記の「定温乾燥」、「乾燥速度制御乾燥」、「普通予約乾燥」、「二段乾燥」のほか、予約タイマで設定された初期乾燥時間，休止時間，全乾燥時間（初期乾燥時間を含む）に基づいて、乾燥−休止−乾燥−休止…を繰り返す「予約リピート乾燥」、予約タイマで設定された時間通風運転を行なう「初期通風乾燥」、乾燥対象を種子用穀物とした「種子乾燥」の各モードがある。これらのいずれを選択するか、及びその他の具体的な乾燥内容の選択は、オペレータのスイッチ操作による。前記設定スイッチ２５をONすると、予め設定されたメッセージが順次的に表示されてオペレータの選択を待つ。例えば、先ず設定スイッチ２５をONすると、
　　　＊＊セッテイコウモク（１）＊＊
＊カンソウモード　　−　テイオン
　コクモツシュルイ　−　モミ
　カンソウジカン　　−　３０：００
の表示があらわれ、各右側に表示され内容を、内容選択スイッチ２７及び２８によって適宜に選択する。次いで、設定対象を示す先頭の「＊」印を項目選択スイッチ２６操作により順次移動しながら、各項目について適宜に選択する。
上記の３項目の設定が終了して、再び設定スイッチ２５をONすると、次のメッセージ、即ち、
　　　＊＊セッテイコウモク（２）＊＊
　カンソウオンド　　−　Ａ０
＊ハリコミリョウ　　−　１０コク
があらわれ、上記と同様に内容選択スイッチ２７又は２８によって適宜に設定する。以下、同様に、
　　　＊＊セッテイコウモク（３）＊＊
　テイシスイブン　　−　１４．５％
　スイブンホセイ　　−　　０．０％
＊カンソウソクド　　−　ＯＦＦ
及び、
　　　＊＊セッテイコウモク（４）＊＊
　ショキカンソウジカン−００：００
　ショキツウフウジカン−００：００
＊キュウシジカン　　　−００：００
についても各設定する。」（３頁右上欄９行〜同頁右下欄１１行）ことが図面とともに記載されている。
　
　同じく、刊行物１と共に同引用された特開昭６１−１７５４７２号公報（以下、これを「刊行物３」という）には、穀物乾燥機の表示部に関して、
「張込穀物量、穀物の初期および乾燥仕上げ水分、穀物の種類、選択する乾燥速度等の制御データに応じて決定される温度の乾燥熱風により穀物を乾燥する穀物乾燥機において、その制御盤に、乾燥開始の際に設定される各制御データの種目を文字表記によって表示すると共に、当該制御データの数値ないしは識別記号をデジタル表示することを特徴とする穀物乾燥機における制御データ設定方法」（特許請求の範囲の請求項１）、
「上記デジタル表示部５は、水分、温度、穀物量および時間をそれぞれ選択表示されるものである。１０は表示切換ボタン、１１は表示種目表示部、１２は各表示種目に対応して配設されたランプである。表示種目は「水分」、「設定水分」、「熱風温度」、「穀物温度」、「穀物量」、「穀物補正確認」および「乾燥速度確認」等である。」（第３頁左上欄１２〜１９行）こと、
「また、前記穀物補正補正ダイヤル２には、「もみ（１）、（２）、（３）、（４）、（５）」（刊行物３には丸数字で表記、以下同様）、「小麦（１）、（２）、（３）」、「ビール麦（１）、（２）、（３）」および「テスト」の表示があり、乾燥速度ダイヤル３には、「［１］おそい」（刊行物３には四角数字で表記、以下同様）、「［２］普通」、「［３］ややはやい」、「［４］はやい」および「［５］定温」の表示がなされているが、これらの表示は必ずしも対応するダイヤル２，３に施さなくてもよく、前記データ種目表示部４またはデジタル表示部５等に適当に表示することによってそれに代えてもよい。」（３頁右上欄２〜１１行）ことが図面とともに記載されている。
　同じく、刊行物１と共に同引用された実願昭５９−６２８６８号（実開昭６０−１７３８９４号）のマイクロフィルム（以下、これを「刊行物４」という）には、穀物乾燥機の操作パネルに関して、
「操作ボタン３〜６の横に設けた押しボタン２２〜２５は表示器１４に表示させる内容を指定するための押しボタンである。表示器１４は含水率、送風温度、穀物温度、外気温度の制御パラメータを乾燥機の動作中逐次表示するとともに、乾燥終了時に乾燥過程における各パラメータの変化値を表示する。１８は表示器１４の表示モードを動作中の表示モードまたは乾燥終了時の表示モードに切り換えるための表示切り換えスイッチである。表示器１４は押しボタン２２の押下げにより含水率の表示モードにセットされる。同様に、押しボタン２３〜２５をそれぞれ押下げることにより、表示器１４は送風温度、穀物温度、外気温度の表示モードにセットされる。」（明細書４頁４〜１７行）ことが図面とともに記載されている。
　
３．対比　
　上記の記載及び図面の記載からして、刊行物１には、次の発明が記載されているものと認められる。
　運転操作する操作装置６を設け、該操作装置６の表面板１部には、仕上目標水分（停止水分）、及び張込穀粒量等の乾燥条件の各条件項目及び各種設定機能等を表示しうる液晶などによってなる表示装置２を設け、該表示装置２の下側近傍には多機能を設定する選定装置３として複数個の押しボタン式操作スイッチ３６，３７，３８を設けた穀粒乾燥機において、乾燥作業を開始する操作スイッチ３８の操作前の穀粒の乾燥作業開始時は、該表示装置２には少なくとも停止水分、及び張込量の乾燥作業開始時に設定が必要な表示項目を表示し、乾燥中は停止水分、張込量及び乾燥中等の表示を該表示装置２へ表示する表示装置。　
　そこで、本願発明と刊行物１に記載された発明とを対比すると、刊行物１に記載された「操作装置６」、「張込穀粒量」、「液晶などによってなる表示装置２」、「操作スイッチ３６、３７、３８」、「穀粒乾燥機」、「操作スイッチ３８」、「停止水分」は、それぞれ本願発明の「操作盤」、「張込穀粒量」、「液晶表示形態の表示装置」、「機能設定手段」、「穀粒乾燥機」、「乾燥作業を開始する機能設定手段」、「設定水分」に相当するから、両者は、「運転操作する操作盤を設け、該操作盤の表面部には設定張込穀粒量、及び各種設定機能等を表示しうる液晶表示形態の表示手段を設け、該表示手段の近傍には多機能を設定する複数個の機能設定手段を設けた穀粒乾燥機において、乾燥作業を開始する機能設定手段の操作前の穀粒の乾燥作業開始時は、該表示手段には、少なくとも設定水分の乾燥作業開始時に設定が必要な表示項目を表示する運転状態表示装置。」である点で一致し、以下イ、ロ、ハの点で両者は相違する。
　
イ．本願発明が設定乾燥熱風温度を表示しうるのに対し、刊行物１には設定乾燥熱風温度を表示することの明示はない点。
　
ロ．乾燥作業を開始する機能設定手段の操作前の穀粒の乾燥作業開始時に表示手段に表示される表示項目が、本願発明は少なくとも穀物種類、設定水分、乾燥種類であるのに対し、刊行物１には、乾燥条件の条件項目として設定水分と張込穀粒量が実施例として記載されているものの、穀物種類及び乾燥種類の明示はない点。
　
ハ．本願発明が、乾燥作業開始後は、現在水分、乾燥予定残時間、水分むら等の乾燥進行状態項目を文字表示とともに図形表示するのに対し、刊行物１に記載された発明は、乾燥中は停止水分、張込量及び乾燥中等の表示が該表示装置２へ表示されるものの、現在水分、乾燥予定残時間、水分むら等の乾燥進行状態項目を文字表示とともに図形表示するものではない点。
　
　以下、これらの相違点について検討する。
　
・相違点イについて
　設定乾燥熱風温度を表示しうるようにした点は、刊行物２、３、４に記載されているようにこの出願前において周知の事項であり、さらに、刊行物１に「この停止したときの表示数値が張込量として設定されてこの設定により、前記バーナ１６から発生する熱風温度が設定される構成である。」（段落【００１８】）と熱風温度が設定されることが記載されていることからみても、刊行物１に記載された発明において、設定乾燥熱風温度を表示しうるようにすることは当業者が必要に応じて適宜行う設計的事項である。
　
・相違点ロについて
　乾燥作業開始前に設定が必要な項目として穀物種類、設定水分、乾燥種類は、基本的な項目であることはこの出願前において周知（刊行物１（段落【０００２】、【００２３】）、刊行物２，３、刊行物４（明細書５頁３〜１５行）参照）であり、しかも、刊行物２、３には、乾燥作業開始前に設定が必要な表示項目として穀物種類、設定水分、乾燥種類を表示手段に表示することが記載されているので、刊行物１に記載された発明において乾燥条件の条件項目として、少なくとも穀物種類、設定水分、乾燥種類とし、これらを表示装置に表示することは当業者が容易になし得たことである。
　
・相違点ハについて
　乾燥作業開始後において、現在水分、残時間等の乾燥進行状態項目を表示した点はこの出願前において例示するまでもなく周知の事項であって、現在水分等の乾燥進行状態項目を文字表示とともに図形表示した点もこの出願前において周知の事項であり（例えば、特開昭５９−１７３６７８号公報には現在水分、乾燥終了予測時刻等が記載されており、実願平２−７３４９７号（実開平４−３２４８７号）のマイクロフィルムには、水分値、水分バラツキ、残時間等が記載されており、特開平４−３３２３７８号公報には水分値等が記載されており（段落【００１７】、図７〜１０）、特開平５−２３６００号公報には図７，９に水分値等が示唆されている。）、この周知事項を刊行物１に記載された発明に適用して乾燥作業開始後の表示を乾燥進行状態項目を文字表示とともに図形表示とするようにすることは当業者ならば、格別困難なことではなく、容易に想到し得たことである。
　
　そして、本願発明が奏する効果は各刊行物に記載された発明及び周知事項から予測できることである。
     
４．むすび　
　したがって、本願発明は、刊行物１ないし４に記載された発明及び周知事項に基づいて当業者が容易に発明をすることができたものであるから、特許法第２９条第２項の規定により特許を受けることができない。